(57)【特許請求の範囲】
【請求項１】
画素内に設けられた画素電極と、前記画素電極に信号電圧を供給する信号線と、前記画素毎に配置された赤色、緑色、青色のいずれかのカラーフィルタとを備え、電界無印加時に液晶分子が垂直配列し、前記画素電極に前記信号電圧を供給した際に前記液晶分子を水平方向に傾斜させて表示状態を変化させる液晶表示装置において、赤色、緑色、青色の前記カラーフィルタに対応する前記画素電極に供給される前記信号電圧をＶr、Ｖg、Ｖbとしたとき、前記信号電圧によって電界が発生する画素の前記カラーフィルタを除いた状態の透過光スペクトルのピーク波長とその画素の前記カラーフィルタの分光特性のピーク波長がほぼ一致するように前記信号電圧をＶb＜Ｖg＜Ｖrに設定することを特徴とする液晶表示装置。
【請求項２】
画素内に設けられた画素電極と、前記画素電極に信号電圧を供給する信号線と、前記画素毎に配置された赤色、緑色、青色のいずれかのカラーフィルタとを備え、電界無印加時に液晶分子が垂直配列し、前記画素電極に前記信号電圧を供給した際に前記液晶分子を水平方向に傾斜させて表示状態を変化させると共に、１画素に複数の電圧値の前記信号電圧を供給して複数の階調の表示をする液晶表示装置において、赤色、緑色、青色の前記カラーフィルタに対応する前記画素電極に供給される前記信号電圧をＶr、Ｖg、Ｖbとしたとき、少なくとも任意の階調で前記信号電圧によって電界が発生する画素の前記カラーフィルタを除いた状態の透過光スペクトルのピーク波長とその画素の前記カラーフィルタの分光特性のピーク波長がほぼ一致するように前記信号電圧をＶb＜Ｖg＜Ｖrに設定することを特徴とする液晶表示装置。
【請求項３】
画素のカラーフィルタを除いた状態の透過光スペクトルのピーク波長とその画素の前記カラーフィルタの分光特性のピーク波長がほぼ一致するように信号電圧を設定した階調が、最も明るい階調であることを特徴とする請求項２記載の液晶表示装置。
【請求項４】
画素のカラーフィルタを除いた状態の透過光スペクトルのピーク波長とその画素の前記カラーフィルタの分光特性のピーク波長がほぼ一致するように信号電圧を設定した階調が、表示する頻度の多い階調であることを特徴とする請求項２記載の液晶表示装置。
【請求項５】
画素内に設けられた画素電極と、前記画素電極に信号電圧を供給する信号線と、前記画素毎に配置された赤色、緑色、青色のいずれかのカラーフィルタとを備え、電界無印加時に液晶分子が垂直配列し、前記画素電極に前記信号電圧を供給した際に前記液晶分子を水平方向に傾斜させて表示状態を変化させる液晶表示装置において、赤色、緑色、青色の前記カラーフィルタに対応する前記画素電極に供給される前記信号電圧をＶr、Ｖg、Ｖbとしたとき、赤色、緑色、青色の画素を通過した透過光のそれぞれの色位置がＣＩＥ色度図上の白色からほぼ等距離に位置するように前記信号電圧をＶb＜Ｖg＜Ｖrに設定することを特徴とする液晶表示装置。
【請求項６】
各色のカラーフィルタの厚みが同じ厚さであることを特徴とする請求項１乃至請求項５記載の液晶表示装置。
【請求項７】
デジタル信号の映像信号をアナログ信号の信号電圧に変換して該当する信号線に供給する信号駆動回路を備えた液晶表示装置において、前記信号電圧がＶb＜Ｖg＜Ｖrの条件を満たすように変換処理を行う変換回路を設けたことを特徴とする請求項１乃至請求項６記載の液晶表示装置。
【請求項８】
表示モードがノーマリブラックであること特徴とする請求項１乃至請求項７記載の液晶表示装置。
【請求項９】
画素電極を有する基板と、共通電極を有する基板と、両基板上に積層された垂直配向膜と、両基板を対向配置してその間に封入された誘電率異方性が負の液晶と、両基板を挟み込むように配置された一対の偏向板とを備え、一対の偏向板は互いの透過軸が直交すると共に一方の偏向板の透過軸が液晶分子の傾斜方向と約４５°なすように配置されたことを特徴とする請求項１乃至請求項８記載の液晶表示装置。
【請求項１０】
前記カラーフィルタがストライプ状に配置されていることを特徴とする請求項１乃至請求項９記載の液晶表示装置。
【請求項１１】
前記カラーフィルタを備えた基板の法線方向に対する前記液晶分子の傾斜角度と前記画素電極に供給される前記信号電圧との関係が関数φ(Ｖ)で表せるとき、sinφ(Ｖr)≒１．０５sinφ(Ｖg)、sinφ(Ｖb)≒０．９０sinφ(Ｖg)の関係を満たすことを特徴とする請求項１乃至請求項１０記載の液晶表示装置。
【発明の詳細な説明】
【０００１】
【発明の属する技術分野】
本発明は色純度が高く且つ正確な色調を再現できる液晶表示装置に関する。
【０００２】
【従来の技術】
現在の幅広く利用されているＴＦＴ液晶表示装置には、ＴＮモードやＶＡモード、ＩＰＳモードなどの多くの動作モードが提案されている。液晶表示装置は液晶が有する旋光性と複屈折性の２つの性質を利用しているが、ＴＮモードは旋光性を利用し、ＶＡモードやＩＰＳモードは複屈折性を利用している。
【０００３】
ＴＮモードの場合、画素電極を有するガラス基板と共通電極を有するガラス基板を対向させて配置し、この両ガラス基板間に誘電率異方性が正のネマティック液晶を注入する。両ガラス基板は互いの配向方向が直交するように水平配向処理された配向膜で覆われているため、電圧無印加時は液晶分子が両ガラス基板間で９０°捻れてツイスト配列する。両ガラス基板を直交ニコルにした偏光板で挟み、この偏光板の透過軸と液晶分子の配向方向を一致させるので、電圧無印加時には一方の偏光板を通過した透過光が他方の偏光板を通過して白表示になる。このとき透過光は液晶によって振幅方向が９０°回転した状態になるが、これは液晶の旋光性を利用している。電圧印加時は液晶分子が垂直配列するため、一方の偏光板を通過した透過光はそのままの状態で他方の偏光板に到達して遮光される。
【０００４】
共通電極を有するガラス基板にはＲ、Ｇ、Ｂのカラーフィルタが各画素に対応して設けられるが、各カラーフィルタの分光特性が異なることに起因して不具合が生じる。例えば、三原色を使って正確に白色を表現する場合はＲＧＢの各カラーフィルタを透過した光の強さが均等である必要があるが、そのような透過光の強さの調整が困難であったり、旋光分散によって良好な表示が得られない等の問題があった。このような問題を解決するために、各カラーフィルタに応じてその厚みを変えたり、異なる駆動電圧を設定する方法が提案されており、これは例えば特許２５９０７８４号公報や特開平５−１８１１２９号公報に開示されている。
【０００５】
【発明が解決しようとする課題】
しかしながら上記の手段はＴＮモードに適しているが、動作モードが異なるＶＡモードやＩＰＳモードにそのまま適用しても良好な表示が得られなかった。
【０００６】
ＶＡモードの場合、画素電極を有するガラス基板と共通電極を有するガラス基板との間に誘電率異方性が負の液晶を注入し、両ガラス基板は垂直配向処理を施した配向膜で覆われている。両ガラス基板は一対の偏光板で挟まれ、偏光板を直交ニコルに設定している。そして電圧無印加時は液晶分子が配向膜の影響を受けて垂直配列するため、一方の偏光板を通過した直線偏光はその偏光面が液晶分子の長軸（異常光成分）を含むように入射し、入射光の位相のずれが発生せずにそのままの状態で他方の偏光板に達する。従って入射光は他方の偏光板で遮光され、黒表示となる。これに対して電圧印加時は、画素電極と共通電極の間に発生した電界と液晶分子が持つ負の誘電率異方性によって、ガラス基板面の法線方向に対して液晶分子の長軸がある角度を生じるように液晶分子が傾斜する。液晶分子の傾斜する方向が偏光板の透過軸と４５°ずれるように、突起や電極スリットの形状を定めることで、液晶分子に配向規制を与えるようにしている。このとき一方の偏光板を通過した直線偏光はその偏光面が液晶分子の光軸とずれて入射するため、液晶分子の常光成分と異常光成分との差Δｎ＝（ｎe−ｎo）によって位相のずれが生じる。したがって一方の偏光板を通過した直線偏光は液晶層を通過するときに楕円偏光になり、他方の偏光板を通過する。
【０００７】
各画素にはＲ、Ｇ、Ｂのいずれかのカラーフィルタが決まったパターンで配置され、選択的に画素をオン状態にさせて所望の色を実現する。このときオン状態にする画素の画素電極にはカラーフィルタの色に関係なく同じ電圧が供給される。
【０００８】
図９はこの液晶表示装置におけるカラーフィルタ等の分光特性を示し、実線ＩV(λ)はＲＧＢのカラーフィルタを除いた状態での一般的に設計された透過光スペクトルであり、点線ｆr(λ)は赤色のカラーフィルタの分光特性、一点鎖線ｆg(λ)は緑色のカラーフィルタの分光特性、二点鎖線ｆb(λ)は青色のカラーフィルタの分光特性である。実線ＩV(λ)のピークは５５０ｎｍに設定されているが、これはカラーフィルタを用いない白黒モードのときの最適な設定値である。カラーフィルタを用いる場合、実線ＩV(λ)はｆg(λ)とピークが一致しているため適正であるが、ｆr(λ)、ｆb(λ)とピークが一致していないため適正ではない。したがって赤色や青色の画素については透過光のロスが多くなり、鮮やかで正確な色を実現することができなかった。
【０００９】
そこで本発明は、垂直配列を用いた液晶表示装置において、色純度が高く且つ正確な色の表示を可能にすることを目的とする。
【００１０】
【課題を解決するための手段】
上記課題を解決するために発明は、画素内に設けられた画素電極と、画素電極に信号電圧を供給する信号線と、画素毎に配置された赤色、緑色、青色のいずれかのカラーフィルタとを備え、電界無印加時に液晶分子が垂直配列し、画素電極に信号電圧を供給した際に液晶分子を水平方向に傾斜させて表示状態を変化させると共に、１画素に複数の電圧値の信号電圧を供給して複数の階調の表示をする液晶表示装置において、赤色、緑色、青色のカラーフィルタに対応する画素電極に供給される信号電圧をＶr、Ｖg、Ｖbとしたとき、少なくとも任意の階調で信号電圧によって電界が発生する画素のカラーフィルタを除いた状態の透過光スペクトルのピーク波長とその画素のカラーフィルタの分光特性のピーク波長がほぼ一致するように信号電圧をＶb＜Ｖg＜Ｖrに設定することを特徴とする。
【００１１】
また、画素内に設けられた画素電極と、画素電極に信号電圧を供給する信号線と、画素毎に配置された赤色、緑色、青色のいずれかのカラーフィルタとを備え、電界無印加時に液晶分子が垂直配列し、画素電極に信号電圧を供給した際に液晶分子を水平方向に傾斜させて表示状態を変化させる液晶表示装置において、赤色、緑色、青色のカラーフィルタに対応する画素電極に供給される信号電圧をＶr、Ｖg、Ｖbとしたとき、赤色、緑色、青色の画素を通過した透過光のそれぞれの色位置がＣＩＥ色度図上の白色からほぼ等距離に位置するように信号電圧をＶb＜Ｖg＜Ｖrに設定することを特徴とする。
【００１２】
【発明の実施の形態】
以下、本発明の一実施の形態を図に基づいて説明する。図１は第一基板の平面図、図２は電界を印加していないときの液晶表示装置の断面図、図３は電界を印加したときの液晶表示装置の断面図である。なお、図２及び図３は図１のＡ−Ａ線に沿った断面図である。
【００１３】
１はガラス基板の第一基板であり、この第一基板１上には走査線２と信号線３がマトリクス状に配線されている。走査線２と信号線３で囲まれる領域が１画素に相当し、この領域内に画素電極４が配置される。走査線２と信号線３の交差部には画素電極４と接続するＴＦＴ５が形成される。５ａは走査線２から延在したゲート電極、５ｂは信号線３から延在したソース電極、５ｃは画素電極４と接続するドレイン電極である。そして走査線２からゲート電極５ａに走査信号が供給されるとＴＦＴ５がオン状態になり、信号線３からソース電極５ｂに供給されるソース信号（信号電圧）がドレイン電極５ｃを介して画素電極４に印加される。６は信号線３や画素電極４に積層された配向膜であり、垂直配向処理が施されている。
【００１４】
７はガラス基板の第二基板であり、第二基板７上には各画素を区切るようにブラックマトリックス８が形成され、各画素に対応してＲ、Ｇ、Ｂのいずれかのカラーフィルタ９がストライプ状に積層されている。カラーフィルタ９には例えばＩＴＯなどの共通電極１０が積層され、共通電極１０上には画素電極４と対向する位置に帯状の突起１１が形成されている。図４は画素電極４と突起１１の位置関係を示す図であり、突起１１は第二基板７の法線方向から見たときに信号線３と平行で且つ画素電極４の中央部を通過するように配置されている。１２は垂直配向処理が施された配向膜であり、共通電極１０や突起１１などを覆うように積層されている。１３は第一基板１に貼り付けられた第一偏光板、１４は第二基板７に貼り付けられた第二偏光板であり、両偏光板１３、１４は直交ニコルに設定されている。
【００１５】
両基板１、７間には誘電率異方性が負の液晶が封入される。そして液晶層に電界が印加されていないときは、図２に示すように、液晶分子１５は配向膜６、１２の影響を受けて垂直配列する。このとき第一偏光板１３を通過した直線偏光の透過光は、偏光状態を変えることなく液晶層を通過するため、第二偏光板１４で遮光されて黒表示になる。
【００１６】
液晶層に電界が印加されたとき、図３に示すように液晶分子１５は水平方向へ傾斜する。図４の画素電極４内の矢印は液晶分子１５の傾斜方向を示すが、液晶分子１５の傾斜方向は突起１１によって偏光板１３、１４の透過軸と約４５°を成す方向へ規制される。図４の矢印は、第二基板７付近の液晶分子１５が傾斜した際に、第二基板７から離れた端部から第二基板７に近い端部の方向を示す。第一偏光板１３を通過した直線偏光の透過光は、その直線偏光の振幅方向が液晶分子１５の光軸と４５°ずれて入射するため、液晶層を通過する際に複屈折されて直線偏光から楕円偏光へ偏光状態が変化し、第二偏光板１４を通過できる。
【００１７】
液晶分子１５の複屈折性を利用した液晶表示装置の場合、第二偏光板１４を通過する透過光のスペクトルは次のように表される。なおここではカラーフィルタ９を除いた状態とする。
【００１８】
Ｉ＝Ｉosin2２θ・sin2[(π／λ)・Ｒ]………（１）
Ｉoは入射光強度
θは第一偏光板の透過軸とセル内の正常光の振動方向とのなす角度
Ｒはリタデーション
またリタデーションＲは次のように表される。
【００１９】
Ｒ＝ｄΔｎ・sin2φ(Ｖ)………（２）
ｄはセルの厚さ
Δｎは液晶分子の長軸方向と短軸方向の屈折率の差
φ(Ｖ)は液晶分子の傾斜角度
液晶分子１５の傾斜角度φは画素電極４に印加される電圧に応じて変化するため、信号線３に供給されるソース信号Ｖの関数で表され、その式は基板１、７間に封入する液晶の特性などによって決まる。
【００２０】
ここで液晶分子１５の傾斜方向は突起１１によって規制されているため、画素電極４に印加される電圧値と関係なく同一方向になる。したがってsin2２θが一定になり、式（１）は次のように表される。
【００２１】
Ｉ＝Ａ1・sin2[(Ａ2／λ)・sin2φ(Ｖ)]＝ＩV(λ)………（３）
Ａ1＝Ｉosin2２θ
Ａ2＝π・ｄ・Δｎ
ＲＧＢのカラーフィルタ９を付加する場合、各色の画素を通過して出射する光のスペクトルは次のように表される。なおＶrはＲの画素に印加されるソース信号、ＶgはＧの画素に印加されるソース信号、ＶbはＢの画素に印加されるソース信号とする。
【００２２】
Ｉ(R)＝∫ＩVr(λ)・ｆr(λ)
Ｉ(G)＝∫ＩVg(λ)・ｆg(λ)
Ｉ(B)＝∫ＩVb(λ)・ｆb(λ)
このｆr(λ)、ｆg(λ)、ｆb(λ)はそれぞれＲ、Ｇ、Ｂのカラーフィルタ９が持つ分光特性を示し、図５に赤色（Ｒ）の分光特性、図６に緑色（Ｇ）の分光特性、図７に青色（Ｂ）の分光特性を示す。ここで各分光特性をみると、ｆr(λ)は６１０ｎｍ、ｆg(λ)は５５０ｎｍ、ｆb(λ)は４５０ｎｍがそれぞれピークの波長になっている。したがってＩV(λ)のピークと各カラーフィルタ９の分光特性のピークが一致するよう設定すれば、透過光のロスが少ない液晶表示装置になる。ＩV(λ)のピークは液晶分子１５の傾斜角度φを変えることで調整することができ、信号線３に供給するソース信号の値によって設定できる。各画素において、ＩV(λ)と各カラーフィルタ９の分光特性のピークが一致するとき、式（３）より次の関係が成り立つ。
【００２３】
Ｒの画素    ｄΔｎ・sin2φ(Ｖr)＝３０５
Ｇの画素    ｄΔｎ・sin2φ(Ｖg)＝２７５
Ｂの画素    ｄΔｎ・sin2φ(Ｖb)＝２２５
この関係から各信号線に供給される電圧には次の関係が成り立つ。
【００２４】
sinφ(Ｖr)＝１．０５sinφ(Ｖg)  ………（４）
sinφ(Ｖb)＝０．９０sinφ(Ｖg)  ………（５）
液晶分子１５は電界が強くなるほど大きく傾斜するので、信号線３に供給するソース信号にはＶr＞Ｖg＞Ｖbの関係が成立する。このような関係を満たすソース信号を各信号線３に供給すれば、各画素の透過光スペクトルと各カラーフィルタ９の分光特性のピークが一致し、鮮やかで正確な色を実現できる。
【００２５】
図８は液晶表示装置の制御回路を示す。１６は液晶表示装置の表示領域を示し、１７は走査駆動回路、１８は信号駆動回路、２０は制御回路である。走査駆動回路１７には複数の走査線２が接続され、制御回路２０からのスキャン信号Ｓ0に基づいて各走査線２に走査信号を出力し、ＴＦＴ５のオン・オフ制御を行っている。信号駆動回路１８には複数の信号線３が接続され、制御回路２０からの映像信号Ｓ1に基づいて各信号線３にソース信号を供給し、各画素の電界を制御している。映像信号Ｓ1は各画素のソース信号の電圧値を示すシリアルなデジタル信号であり、信号駆動回路１８で映像信号Ｓ1をアナログ信号のソース信号に変換し、それぞれ該当する信号線３に供給している。
【００２６】
１９は信号線３に介在する増幅器であり、表示領域１６よりも入力側に設けられている。増幅器１９Ｒは赤色のカラーフィルタ９ｒの画素に接続された信号線３に設けられ、増幅器１９Ｒによって関係式（４）を満たすように設定され、増幅器１９Ｂは青のカラーフィルタ９ｂの画素に接続された信号線３に設けられ、増幅器１９Ｂで関係式（５）を満たすように設定されている。したがって各信号線３には最適なソース信号が供給される。この場合は関係式（４）、（５）を増幅器１９で設定するため、従来の制御回路に増幅器１９を追加すればよく、少ない設計変更で本発明を実現できる。
【００２７】
なおこの実施の形態では信号駆動回路１８の出力側に増幅器１９を設けたが、信号駆動回路１８内の信号処理や回路構成で関係式（４）、（５）を満足するように設定してもよい。この場合は例えば信号駆動回路１８で映像信号のデジタル信号をソース信号のアナログ信号に変換する際に、各ソース信号が関係式（４）、（５）を満たすように回路の増幅比を設定する。このときも制御回路２０などは従来の構成で使用でき、大きな設計変更を必要としない。
【００２８】
またこの実施の形態ではＲＧＢのカラーフィルタをストライプ状に配置しているため、それぞれ信号線３に接続される画素が同色になり、回路構成や制御が簡単になる。カラーラーフィルタをモザイク状やデルタ状に配置する場合、１つの信号線に異なる色の画素が接続されることになるため、例えば各信号線に関係式（４）、（５）を満たす増幅器を接続し、走査信号と同期して増幅器を切り換えて各画素に適切なソース信号を供給する構成にすればよい。このようにカラーフィルタの配置がストライプ状以外のときにも本発明は有用である。
【００２９】
パソコンのモニターやテレビなどの液晶表示装置では、複数の階調を設定して良質な表示を実現している。このとき単一の画素において電圧値の異なる複数のソース信号が設定される。この場合、最も明るい階調のときに関係式（４）、（５）を満たすように設定すれば、この階調において高い色純度の表示が可能になる。また実際に表示する際に頻繁に用いる階調や特別に色純度を高くしたい階調がある場合、その階調で関係式（４）、（５）を満たすように設定してもよく、高品位な表示が可能になる。特定の階調で関係式（４）、（５）を満たすように設定すると、他の階調ではソース信号の電圧値が変わってしまうため、画素のカラーフィルタを除いた状態の透過光スペクトルのピーク波長がカラーフィルタの分光特性のピーク波長とずれてしまう。このときは各階調毎に各色の画素を通過した透過光の色位置がＣＩＥ色度図上の白色とほぼ等距離に位置するようにソース信号を設定すればよい。つまり白色の座標を（ｘ0、ｙ0）、赤色の画素の透過光の座標を（ｘr、ｙr）、緑色の画素の透過光の座標を（ｘg、ｙg）、青色の画素の透過光の座標を（ｘb、ｙb）としたとき、（ｘ0−ｘr）2＋（ｙ0−ｙr）2≒（ｘ0−ｘg）2＋（ｙ0−ｙg）2≒（ｘ0−ｘb）2＋（ｙ0−ｙb）2になる。一般に三原色を使って白色を表現する場合、ＲＧＢの各画素の透過光が均等な強さでなければ混合色は白色ではなく少し他の色がついて状態になる。しかし本発明のように各色の画素に印加するソース電圧を設定すれば、中間調でも無彩色な色が実現でき、正確な色が表示できる。
【００３０】
一般にカラーフィルタの分光特性はバックライト光の発光スペクトルとの関係で設定され、多くのカラーフィルタはｆr(λ)が６１０ｎｍ、ｆg(λ)が５５０ｎｍ、ｆb(λ)が４５０ｎｍにピークになるように設定されている。このことに基づいて各ソース信号の条件として関係式（４）、（５）を導き出したが、もしも各カラーフィルタの分光特性のピークが他の値に設定されるときは関係式（４）、（５）も異なる。本発明は透過光のロスを少なくするために、カラーフィルタの分光特性のピーク波長とカラーフィルタを除いた液晶パネルの透過光スペクトルのピーク波長を一致させるものであり、この趣旨に沿って各色の画素に対応するソース信号の関係式も変更できる。
【００３１】
【発明の効果】
本発明によれば、液晶分子が垂直配列から水平方向に傾斜することで表示状態を制御する液晶表示装置において、画素のカラーフィルタを除いた状態の透過光スペクトルのピーク波長とその画素のカラーフィルタの分光特性のピーク波長がほぼ一致するように、カラーフィルタの色に応じて画素電極に印加する信号電圧を設定しているので透過光のロスが少なくなり、高い色純度で且つ正確な色が表現できる高品位な表示が得られる。
【図面の簡単な説明】
【図１】本発明の実施例である液晶表示装置の第一基板の平面図である。
【図２】電界を印加していないときの液晶表示装置の断面図である。
【図３】電界を印加したときの液晶表示装置の断面図である。
【図４】画素電極と突起との位置関係を示した模式図である。
【図５】本発明の実施例である透過光スペクトルと赤色のカラーフィルタの分光特性との関係を示した図である。
【図６】本発明の実施例である透過光スペクトルと緑色のカラーフィルタの分光特性との関係を示した図である。
【図７】本発明の実施例である透過光スペクトルと青色のカラーフィルタの分光特性との関係を示した図である。
【図８】本発明の実施例である液晶表示装置の制御回路を示す図である。
【図９】従来の透過光スペクトルと各色のカラーフィルタの分光特性との関係を示した図である。
【符号の説明】
１    第一基板
２    走査線
３    信号線
４    画素電極
７    第二基板
９    カラーフィルタ
１１  突起
１３  第一偏光板
１４  第二偏光板
１５  液晶分子
【図１】
0003733018.tif 000002
【図２】
0003733018.tif 000003
【図３】
0003733018.tif 000004
【図４】
0003733018.tif 000005
【図５】
0003733018.tif 000006
【図６】
0003733018.tif 000007
【図７】
0003733018.tif 000008
【図８】
0003733018.tif 000009
【図９】
0003733018.tif 000010